(57)【要約】  【課題】      黒鯛や石鯛釣り等の際に使用するストリンガーであって、ストリンガー全体を引き上げることなく、新たに釣り上げた魚をストリンガーに係留させ得るようにしようとするものである。  【解決手段】  ロープやワイヤー等の紐体と、基部に連結環を取り付けた複数のフックとから成り、紐体に大きさの異なる係止片を段違い状にして取り付ける一方、連結環部の大きさの異なった複数個のフックを用意し、紐体をフックの連結環部に通した場合、係止片により、フックを段階的に係留させ得るように形成したストリンガー。  【選択図】    図２
2005198535.tif 000002
【特許請求の範囲】
【請求項１】
ロープやワイヤー等の紐体２と、基部に連結環部４を有する複数のフック３とから成り、紐体２に大きさの異なる係止片５ａ・５ｂ・・を、下方側に大きいものを配置した形となるようにして段違い状に取り付ける一方、連結環部４の大きさの異なった複数個のフック３ａ・３ｂ・・を用意し、紐体２をフック３ａ・３ｂ・・の連結環部４に通した場合、係止片５ａ・５ｂ・・により、フック３ａ・３ｂを段階的に係留させ得るように構成したことを特徴とするストリンガー。
【発明の詳細な説明】
【技術分野】
【０００１】
この発明は、黒鯛や石鯛釣り等の際に使用するストリンガーに関するものである。
【背景技術】
【０００２】
黒鯛や石鯛釣りを行なう際には、釣り上げた魚を潮だまりや波のない潮裏等で生かしておくためにストリンガーが使用されるのであるが、従来一般に使用されているストリンガーは、ロープやワイヤー等の紐体に、複数個のフックを取り付けた構成となっており、釣り上げた魚のエラから口へフックを通して繋ぎ止めた後、潮だまり等に放ち、ストリンガーの端部をフロートに繋ぎ止めるという方法で使用されるのが普通である。
【発明の開示】
【発明が解決しようとする課題】
【０００３】
ストリンガーは、紐体に通した多数のフックに釣り上げた魚を繋ぎ止めておき、釣り上げた魚を元気な状態で生かしておくためのものであるが、従来のストリンガーのように、釣り上げた魚にフックを掛けて上から落とした場合、魚が一箇所に集まって絡み合い、ウロコが剥がれ魚を弱らせてしまうことになるのである。
また、それを防止するために、紐体に取り付けたられた各フックとフックとの間にチューブを配置させ、各フックとフックとの間に間隔をもたせるようにした場合、手元で紐体を巻き取る際に、紐が大きく膨らんで嵩張り、おさまりが悪く、取り扱いが不便であるという欠点があるのである。
【０００４】
この発明は、黒鯛や石鯛釣り等の際に使用するストリンガーであって、従来のストリンガーに見られた上記のような欠点を除去しようとするものである。
【課題を解決するための手段】
【０００５】
この発明は、黒鯛や石鯛釣りの際に使用するストリンガーに関するものであって、ロープやワイヤー等の紐体と、基部に連結環部を有する複数のフックとから成り、紐体に大きさの異なる係止片を段違い状にして取り付ける一方、連結環部の大きさの異なった複数個のフックを用意し、紐体をフックの連結環部に通した場合、係止片により、フックを段階的に係留させ得るように形成した構成となっているのである。
【発明の効果】
【０００６】
ストリンガーは、紐体に取り付けた多数のフックに釣り上げた黒鯛や石鯛等を順次繋ぎ止め、釣り上げた魚を元気な状態で生かしておくためのものであるが、この発明に係るストリンガーは、釣り上げた黒鯛や石鯛を紐体に適当な間隔を置いて繋ぎ止ることができ、従来のストリンガーのように、魚が一箇所に集ま絡まることがなく、魚を傷めることなく元気な状態で生かしておくことが出来るという利点があるのである。
【０００７】
また、このようなストリンガーにあっては、各フックの間にチューブを配置し、各フックの間に適当な間隔をもたせるようにすることによって、魚の絡まりを防止できるのであるが、そのように構成した場合、紐体を手元で巻き取る際に糸巻きが大きく膨らんでおさまりが悪く、取り扱いが不便であるが、この発明にかかるストリンガーにあっては、巻き取りの際に紐体が膨らむといったことがなく、取り扱いや保管に便利であるという利点があるし、また、係止片の上部の直径が小さく、下部の直径が大きくなるようにした場合には、連結環部がスムーズに通過し、魚が素早く所定の位置に納まるという利点があるのである。
【実施例】
【０００８】
図面に基づいて、この発明の実施例を説明すると、ストリンガー本体１は、図１ないし図３に示すとおり、ロープやワイヤー等の紐体２と、基部に連結環部４を有する複数のフック３とから成り、紐体２には大きさの異なる係止片５ａ・５ｂ・・を段違い状にして取り付ける一方、連結環部４の大きさの異なった複数個のフック３ａ・３ｂ・・を用意し、紐体２をフック３ａ・３ｂ・・の連結環部４に通した場合、係止片５ａ・５ｂ・・により、フック３ａ・３ｂを段階的に係留させ得るように形成した構成となっているのである。
【０００９】
すなわち、紐体２は、ロープと、大きさの異なった複数の係止片５ａ・５ｂとから成っており、ロープの下方側に大きな係止片５ａを配置固定するとともに、その上方側に適当な間隔を置いて、下方側に配置した係止片より外径の小さな係止片５ｂ・５ｃ・５ｄを順次配置固定した構成となっているのである。
【００１０】
フックは、弾力性を有する線材を屈曲させることによって環部６を形成するとともに、基部側に連結部７を形成し、その境部に支持板８を取り付けた構成となっおり、線材の端部を支持板８に形成した折り返し部９に係合させることによって環部６を閉じ得る一方、環部６の外周部を指で押して係合状態を解除することによって環部６を開口させ得る構成となっており、開口させた状態にして線材の端部を黒鯛や石鯛のエラから口に向けて差し入れた後、端部を支持板８の折り返し部９に嵌合させることによって、黒鯛や石鯛等を繋ぎ止め得る構成となっているのである。
【００１１】
連結環部４は、弾力性を有する線材を二重巻きにしたリング体で構成されており、その内径は、係止片５ａの外径よりも小さく係止片５ｂの外径よりも大きいもの、係止片５ｂの外径よりも小さく係止片５ｃの外径よりも大きいもの、係止片５ｃの外径よりも小さいもの等、種々の大きさのものが用意され、フック３への取り付けは、スナップ１０と撚り戻し１１を介在させて連結することによって行なわれるのである。
【００１２】
この発明にかかるストリンガー本体１は、上記のような構成であって、その使用は、次のような要領で行なわれるのである。
【００１３】
ストリンガーを使用する場合、紐体２に各フックの連結部材４を通した状態で使用するのであるが、紐体２に大きいサイズの連結部材４取り付けたフックから順次落下するように通しておき、黒鯛や石鯛を釣り上げた場合、紐体２の下端部に取り付けられたフックを開いて石鯛等に繋ぎ止めた後、ストリンガーを潮だまりや波のない潮裏等に放ち、次の魚を釣り上げた場合、一番下方側に配置固定した係止片５ａの外径よりも小さく係止片５ｂを通過する外径の連結環部４を有するフック３ａを釣り上げた魚に取り付け海中に放ち、また、次の魚を釣り上げた場合には、係止片５ｂの外径よりも小さく係止片５ｃを通過する連結環部４を有するフック３ｂを釣り上げた魚に取り付けて海中に放つという手順によって行なわれるのである。
【図面の簡単な説明】
【００１４】
【図１】ストリンガーの使用要領を示す斜視図である。
【図２】ストリンガーの構成を示す分解斜視図である。
【図３】ストリンガーの構成を示す斜視図である。
【符号の説明】
【００１５】
１    ストリンガー本体
２    紐体
３    フック
４    連結環部
５ａ  係止片
５ｂ  係止片
５ｃ  係止片
【図１】
2005198535.tif 000003
【図２】
2005198535.tif 000004
【図３】
2005198535.tif 000005